(57)【要約】  【目的】電磁装置と弁本体との取付け、取外し作業性を向上しメンテナンス作業時間を短縮する。  【構成】ハウジング３０の下方鍔部３０ｇにコ字状の狭持部Ｅを備える締結レバー１を回転自在に配置する。弁本体４０の上方に形成される鍔部４０ｄと下側磁極板３２とを締結レバー１の狭持部Ｅによって狭持し、電磁装置と弁本体４０とを締結して電磁弁を形成する。【選択図】  図２
2006002797.tif 000002
【特許請求の範囲】
【請求項１】
磁性材料によって形成されるハウジング３０の内方に配置される電磁コイル３１と、電磁コイル３１の内方に配置され、ハウジング３０の上端１０ａに磁気結合される固定鉄心３３と、ハウジング３０の下端３０ｆに磁気結合される下側磁極板３２と、電磁コイル３１の内方に移動自在に配置されるとともに固定鉄心３３に対向配置される可動鉄心３４と、により構成される電磁装置Ｓと、
弁孔４２によって１次側流路４３ａと２次側流路４３ｂとに区分される流路４３が穿設された弁本体４０と、を備え、前記弁孔に臨んで配置される弁体５０が可動鉄心３４によって開閉動作される電磁弁において、
ハウジング３０の下端から側方に向かって延びる下方鍔部３０ｇ，３０ｊに、コ字状の狭持部Ｅを備える締結レバー１を下方鍔部３０ｇ，３０ｊ上において回転自在に配置し、前記狭持部により、弁本体４０の鍔部４０ｄを、少なくとも下側磁極板３２を介してハウジング３０の鍔部に向けて狭持固定したことを特徴とする電磁弁。
【請求項２】
前記弁本体の鍔部４０ｄの上面４０ｅに、上方に向かう規制突部４０ｇを突出して設けると共に前記下側磁極版及びハウジング３０の下方鍔部３０ｇに、それぞれガイド孔３２ａ、３０ｍを貫通して穿設し前期規制突部を下側磁極版３２のガイド孔３２ａ及びハウジング３０の下方鍔部３０ｇ、３０ｊのガイド孔３０ｍ内に挿入配置したことを特徴とする請求項１記載の電磁弁。
【請求項３】
前記締結レバーの狭持部Ｅを形成する下方係止片部１ｇの内方端１ｍに上方に向かう係止突部１ｍを設け、該係止突部を弁本体４０の鍔部４０ｄの下面４０ｆに凹設せる係止溝４０ｍ内に係合配置したことを特徴とする請求項１記載の電磁弁。
【発明の詳細な説明】
【技術分野】
【０００１】
本発明は電磁装置を構成する電磁コイルに通電することによって生起する磁力によって可動鉄心を動作し、この可動鉄心と同期的に移行する弁体によって弁本体の流路内に形成される弁孔を開閉する電磁弁に関し、そのうち特に電磁コイル等を備える電磁装置と、流路を備える弁本体との結合に関するものである。
【背景技術】
【０００２】
従来の電磁弁は、図５に示される。
Ｓは電磁装置であって以下により構成される。
３０は磁性材料によって形成され、上端３０ａの両端３０ｂ、３０ｃからそれぞれ下方に向かって側板部３０ｄ、３０ｅが折曲げ形成されたハウジングである。
３１は円筒状のコイルボビン３２の外周に巻回わされた電磁コイルであり、この電磁コイル３１はハウジング３０の内方に配置される。３２は電磁コイル３１の下端に臨んで配置されるとともにハウジング３０の内方に配置され、ハウジング３０の側板部３０ｄ、３０ｅに磁気結合された磁性材料より形成される下側磁極板である。
そして電磁コイル３１の内方には共に磁性材料によって形成される固定鉄心３３と可動鉄心３４とが配置されるもの、固定鉄心３３はハウジング３０の上端３０ａにカシメ結合される。
一方、可動鉄心３４は固定鉄心３３に対向して移動自在に配置されるとともに下側磁極板３２を貫通して下方に向かって突出配置される。
尚、３５は可動鉄心３４と固定鉄心３３との間に縮設されたスプリングであり、可動鉄心３４はこのスプリング３５によって固定鉄心３３より離れる側に付勢される。
以上のごとく電磁装置Ｓはハウジング３０、電磁コイル３１、固定鉄心３３、可動鉄心３４、下側磁極板３２によって構成されるもので電磁コイル３１通電されると、ハウジング３０、固定鉄心３３、可動鉄心３４、下側磁極板３２によって磁気回路が形成されて磁力が発生しこの磁力によって可動鉄心３４はスプリング３５のバネ力に抗して固定鉄心３３に吸着されて上方に移動する。
一方電磁コイル３１への通電が断たれると前記磁力は消滅するもので可動鉄心はスプリング３５のバネ力によって固定鉄心３３より離反して下方へ移動する。
【０００３】
一方弁本体４０は以下によって形成される。
４１は弁本体４０の上面４０ａに向けて凹設された弁室でありこの弁室４１には弁孔４２を介して１次側流路４３ａが開口するとともに２次側流路４３ｂが開口する。
すなわち、弁本体４２は１次側流路４３ａ、２次側流路４３ｂよりなる流路４３が穿設される。
そして電磁コイル３１の外周には熱可塑性の合成樹脂材料がアウトモールドされるもので、このときこのアウトモールド部３８に貫通孔３６が上下方向に形成される。
【０００４】
そして前記電磁装置と弁本体４０とは以下によって組みつけられて電磁弁が形成される。
第１に電磁装置Ｓの可動鉄心３４の先端に弁孔４２に臨む弁体５０が係合配置されるもので、弁体５０と一体的に形成されて側方に延びるダイヤフラム５０ａの外周端５０ｂが弁本体４０の上面４０ａに向かって凹設される開口４０ｂの底部４０ｃ上に配置され、さらにこのダイヤフラム５０ａの外周端５０ｂ上に環状をなすブッシュ５１が配置される。
このブッシュ５１の上端は弁本体４０の上面４０ａと同一高さかもしくは少し突出して配置される。
第２に弁本体４０の上面４０ａ上にブッシュ５１の上端に当接する押圧板５１配置するものでこの押圧板５１の中心部には可動鉄心３４を挿通しうる逃げ孔５１ａが貫通して穿設される。
第３に電磁装置Ｓを弁本体４０の上面４０ａに向けて配置されるもので、このとき、ハウジング３０の側板部３０ｄ，３０ｅの下端が弁本体４０の上面４０ａ上に配置されるとともに電磁コイル３１、下側磁極板３２が押圧板５１を介して弁本体４０の上面４０ａ上に向けて配置される。
そしてかかる状態において、電磁装置Ｓが弁本体４０に螺着される。
すなわち、ネジ５２はハウジング３０の上端３０ａに穿設した貫通孔３０ｆ、アウトモールド部３８に穿設した貫通孔３６、下側磁極板３２に穿設した貫通孔３２ａ、及び押圧板５１に穿設した貫通孔５１ｂを介して、下方に向かって突出配置され、ネジ５２の先端が弁本体４０の上面４０ａに向かって開口して形成されたメネジ孔４０ｄに螺着される。
以上によると、電磁装置Ｓが弁本体４０の上面４０ａに螺着固定されて電磁弁が形成されるもので、弁体５０のダイヤフラム５０ａの外周端５０ｂは押圧板５１によって押圧されるブッシュ５３と開口４０ｂの底部４０ｃとによって狭持される。
【発明の開示】
【発明が解決しようとする課題】
【０００５】
かかる従来の電磁弁によると、弁孔４２、弁体５０、可動鉄心３４等のメンテナンス作業を行なう際、ネジ５２をユルメて電磁装置Ｓを弁本体４０より取外す必要があり、一方作業終了時に再びネジ５２を締める作業を必要とする。
以上によるとネジ戻し作業及びネジ締め作業に多くの時間を要しメンテナンス作業時間を短縮することができない。例えば電磁弁が複数配置される流体のシステム装置のメンテナンス時において長時間に渡ってメンテナンス作業時間を必要とし、システムの稼動を長時間に渡って停止せざるをえない。
又、前記システム装置において、電磁弁は比較的に狭い制限された空間に配置されることが多いもので、この際ネジを回転するドライバーの操作が困難を極める。
【０００６】
本発明になる電磁弁は前記不具合に鑑み成されたもので、電磁装置の弁本体に対する組付け、取外し性を向上してメンテナンス作業時間の短縮を図るとともに電磁弁をシステムに組付けた状態における作業性の向上を図ることを目的とする。
【課題を解決するための手段】
【０００７】
本発明になる電磁弁は前記目的達成の為に、磁性材料によって形成されるハウジングの内方に配置される電磁コイルと、電磁コイルの内方に配置され、ハウジングの上端に磁気結合される固定鉄心と、ハウジングの下端に磁気結合される下側磁極板と、電磁コイルの内方に移動自在に配置されるとともに固定鉄心に対向配置される可動鉄心と、により構成される電磁装置と、
弁孔によって１次側流路と２次側流路とに区分される流路が穿設された弁本体と、を備え、前記弁孔に臨んで配置される弁体が可動鉄心によって開閉動作される電磁弁において、
ハウジングの下端から側方に向かって延びる下方鍔部に、コ字状の狭持部を備える締結レバーを下方鍔部上において回転自在に配置し、前記狭持部により、弁本体の鍔部を、少なくとも下側磁極板３２を介してハウジング３０の鍔部に向けて狭持固定したことを第１の特徴とする。
【０００８】
又、本発明は前記第１の特徴に加え、前記弁本体の鍔部の上面に、上方に向かう規制突部を突出して設けると共に前記下側磁極版及びハウジングの下方鍔部に、それぞれガイド孔を貫通して穿設し前期規制突部を下側磁極版のガイド孔及びハウジングの下方鍔部のガイド孔内に挿入配置したことを第２の特徴とする。
【０００９】
更に本発明は前記第１の特徴に加え、前記締結レバーの狭持部を形成する下方係止片部の内方端に上方に向かう係止突部を設け、該係止突部を弁本体の鍔部の下面に凹設せる係止溝内に係合配置したことを第３の特徴とする。
【発明の効果】
【００１０】
本発明の第１の特徴によると、弁本体の鍔部の上面上に、押圧板を配置するとともに下側磁極板を配置し、更にその上面に電磁コイル、固定鉄心、可動鉄心を備えるハウジングの下方鍔部を配置し、かかる状態において締結レバーをハウジングの下方鍔部上において締結レバーを回転させ、コ字状の狭持部もって弁本体の鍔部をハウジングの下方鍔部に向けて狭持する。
以上によると、締結レバーによって、弁本体の鍔部は押圧板、下側磁極板を介してハウジングに固定される。
かかる締結レバーによる電磁装置と弁本体との締結方法によると電磁装置と弁本体との組付け及び取外し作業は、単に締結レバーをハウジングの下方鍔部上において回転させればよいので前記作業を極めて簡単で且つ短時間にて行なうことができ、メンテナンス作業時間を大きく短縮できる。
そして特に複数の電磁弁が配置されるシステム装置にあっては総メンテナンス作業時間を大きく短縮できるもので、システム装置の停止時間を短縮できて効果的である。
又、特に締結レバーの回転操作に当たっては、単に締結レバーを水平方向に移動操作すればよいのでドライバーを回転させるネジ締め作業に比較し、その操作が簡単であって且つシステム装置の如く狭い空間内に電磁弁が配置されるものにおいて作業性を大きく向上できる。
【００１１】
又、本発明の第２の特徴によると電磁装置を弁本体に向けて締結レバーにて締結する際ハウジングのガイド孔及び下側磁極板のガイド孔が弁本体の鍔部の上面に突出する規制突部に挿入されて位置決め配置されるので、電磁装置を弁本体に向けて一定位置に容易に取付けることが可能となったものであり、組付け作業性をより一層向上できるとともに電磁コイルから外部に向かって突出するリード線をバラツキなく一定方向に配置できる。
【００１２】
更に本発明の第３の特徴によると締結レバーを回転させて弁本体の鍔部に向けて狭持部を移動する際、狭持部の下方係止片部の内方端に形成する係止突部を弁本体の鍔部の下面に凹設した係止溝内に係合配置したので締結レバーを安定して弁本体の鍔部に係合でき、仮に電磁弁に振動が加わった際にあっても締結レバーが無用に移動することがなく、長期に渡って電磁装置を弁本体に狭持固定できる。
【発明を実施するための最良の形態】
【００１３】
以下、本発明になる電磁弁の一実施例について図により説明する。
図１は電磁弁の側面図。
図２は図１のＡ−Ａ線における縦断面図。
図３は図１の上部平面図。
図４は図３のＢ−Ｂ線における縦断面図。
である。
尚、図５と同一構造部分については同一符号を使用し説明を省略する。
従来のハウジング３２は以下の下方鍔部が形成される。
すなわち、図２において、ハウジング３０の右側の側板部３０ｄの下端３０ｆから右側方に向けて下方鍔部３０ｇが形成され、左側の側板部３０ｅの下端３０ｈから左側方に向けて下方鍔部３０ｊが形成される。
又、弁本体４０の上端には、図２において右側方及び左側方に向けて鍔部４０ｄが突出して形成される。
前記ハウジングの下方鍔部３０ｇ及び３０ｊと弁本体４０の鍔部４０ｄの平面形状（図２において上方より見た形状）は同一形状であることが望ましい。
又、１は薄板金属材料あるいは合成樹脂材料によって形成される締結レバーであり、図５により説明する。
１ａはハウジング３０の下方鍔部３０ｇ上に配置される平面部であり、平面部１ａの左端近傍には貫通孔１６が穿設される。また平面部１ａの一端１ｃから下方に向けて垂直部１ｄが折曲げ形成されこの垂直部１ｄの下端１ｅから他端１ｆ側に向けて下方係止片部１ｇが折曲げ形成される。
すなわち、平面部１ａと下方係止片部１ｇとは間隙Ｌをもって対向配置され平面部１ａ下方係止片部１ｇと垂直部１ｄとによって間隙Ｌを有するコ字状の狭持部Ｅが形成される。
尚、１ｈは垂直部１ｄから更に上方に突出して形成されたツマミ部であり、本例では右端に形成された。
尚、前記平面部と下方係止片部１ｇとの間に形成される前記間隙Ｌは弁本体５０の鍔部４０ｄの厚さ、押圧板５１の厚さ、下側磁極材３２の厚さ、及びハウジング３０の下方鍔部３０ｇ、３０ｊの厚さ、の合計された厚さＮ（図２に開示される）より少し小であることが望ましい。
又、前記下方係止片部１ｇは貫通孔１ｂより右方へＫだけ離れた位置でカットされて逃げ部Ｐが形成されるもので下方係止片部１ｇは貫通孔１ｂの近傍まで達するものでない。
【００１４】
そして締結レバー１はハウジング３０のそれぞれの下方鍔部３０ｇ、３０ｊに貫通孔１ｂを介してリベット２により回転自在に配置される。
すなわち、締結レバー１の平面部１ａはハウジング３０のそれぞれの下方鍔部３０ｇ、３０ｊの上方平面上にリベット２を回転基準として回転自在に配置されるもので、締結レバー１は事前にハウジング３０に取着配置される。
【００１５】
次に電磁装置Ｓの弁本体４０への取付けについて説明する。
まず可動鉄心３４の先端にダイヤフラム５０ａを備える弁体５０が嵌合配置され、ダイヤフラム５０ａ上にブッシュ５３が配置され、さらにその上方に押圧板５１と下側磁極板３２とが配置される。
すなわち可動鉄心３４の先端にダイヤフラム５０ａを備える弁体５０が配置され、可動鉄心３４の下端外周にブッシュ５３、押圧板５１、下側磁極板３２が積層して配置される。
そして前記弁体５０は弁本体４０の弁孔４２に臨んで配置されるとともにダイヤフラム５０ａの外周端５０ｂが弁本体４０の開口４０ｂの底部４０ｃ上に配置され、更に開口４０ｂ内に挿入されるブッシュ５３の下端がダイヤフラム５０ａの外周端５０ｂ上に配置される。
一方、押圧板５１は弁本体４０の鍔部４０ｄの上面４０ｅ上に配置され、更に押圧板５１上に下側磁極板３２が配置される。
そして、かかる状態において、電磁装置Ｓのコイルボビン３２を可動鉄心３４に向けて挿入は位置するもので、このときハウジング３０の下方鍔部３０ｇ及び３０ｊは下側磁極板３２上に配置される。
【００１６】
かかる状態において締結レバー１は図３の点線に示される状態に保持され、これによると締結レバー１のコ字状の狭持部Ｅは弁本体４０の鍔部４０ｄに臨んで配置されない。
すなわち、締結レバー１の下方係止片部１ｇは、弁本体４０の鍔部４０ｄの上方より見た投影面外に配置される。
【００１７】
次いで、図３において下方に位置する締結レバー１がリベット２を回転基準として反時計方向に９０度回転されるもので、これによると下側係止片部１ｇが弁本体４０の鍔部４０ｄの下面４０ｆに圧縮されて当接される。
一方、図３において上方に位置する締結レバー１がリベット２を回転基準として反時計方向に９０度回転されるもので、これによると下側係止片部１ｇが弁本体４０の鍔部４０ｄの下面４０ｆに圧縮されて当接される。
【００１８】
以上によると、電磁装置Ｓのハウジング３０の下方鍔部３０ｇ，３０ｆは、締結レバー１の狭持部Ｅにより下側磁極板３２、押圧板５１を介して弁本体４０の鍔部４０ｄに締結されるもので、もって電磁装置Ｓが弁本体４０に取着される。
【００１９】
以上によると、電磁装置Ｓの弁本体４０に対する取付け及び取外しは、単に締結レバー１をリベット２を回転基準として回転させればよいので、従来のネジ締め作業に比較してその作業が簡単で且つその作業時間を大きく短縮できる。
従ってシステム装置に複数の電磁弁が使用されるものにあってそのメンテナンス作業時間を大きく短縮でき、システムの不稼動時間を短縮でき生産効率の低下を抑止できる。
又、締結レバー１はツマミ部１をもって例えば９０度回転させればよいもので、これによるとドライバー等の工具を必らずしも必要とするものでなく、システム装置の如く電磁弁の周囲が制限されるものにおいて作業性を向上できる。
尚、本実施例においては、押圧板５１を用いているが、押圧板は必ずしも必要としない。
又、弁体５０の構造もこれによる限定を受けるものでない。
【００２０】
又、図４に示す如く、弁本体４０の鍔部４０ｄの上面４０ｅに上方に向かって突出する規制突部４０ｇを設け、一方、ハウジング３０の下方鍔部３０ｇにガイド孔３０ｍを貫通して設け、下側磁極板３２にガイド孔３２ａを貫通して設け、更に押圧板５１にガイド孔５１ｂを貫通して設け、前記規制突部を前記ガイド孔３０ｍ，３２ａ，５１ｂ内に挿入配置することによると、電磁装置Ｓを弁本体４０に向けて極めて正確に取着できる。
これは、電磁装置Ｓの弁本体４０に対する位置決めが正確に成され組付け性を大きく向上できるとともに可動鉄心３４を弁本体４０の開口４０ｂに向けて同芯配置でき、更に電磁コイル３１に連なるリード線３１ａの引出し位置をバラツキなく常に一定位置に配置できる。
【００２１】
又、締結レバー１の下方係止片部１ｇの内方端１ｍ（平面部１ａの他端Ｈ側）に上方に向かう係止突部１ｍを設けるとともに弁本体４０の鍔部４０ｄの下面４０ｆに、前記係止突部が係合される係止溝４０ｍを穿設し、締結レバー１の下方係止片部１ｇを係止突部１ｎを介して係止溝４０ｍ内へ押圧状態で係合配置したことによると、締結レバー１が無用に回転することがなく、締結レバー１の弁本体４０に対する係合をより一層確実に達成できる。
【図面の簡単な説明】
【００２２】
【図１】本発明になる電磁弁の側面図。
【図２】図１のＡ−Ａ線における縦断面図。
【図３】図１の上部平面図。
【図４】図１のＢ−Ｂ線における縦断面図。
【図５】本発明に用いられる締結レバーの斜視図。
【図６】従来の電磁弁の縦断面図。
【符号の説明】
【００２３】
１      締結レバー
１ｇ    下方係止片部
１ｍ    内方端
３０    ハウジング
３０ｇ，３０ｊ    下方鍔部
３０ｍ  ガイド孔
３１    電磁コイル
３２    下側磁極板
４０    弁本体
４０ｄ  鍔部
４０ｇ  規制突部
Ｅ    狭持部
【図１】
2006002797.tif 000003
【図２】
2006002797.tif 000004
【図３】
2006002797.tif 000005
【図４】
2006002797.tif 000006
【図５】
2006002797.tif 000007
【図６】
2006002797.tif 000008